(57)【要約】【課題】包装紙として用いることができる用紙を自動的に出力することができる装置を提供する。【解決手段】用紙を収容する用紙収容部と、被包装物の寸法情報を把握する展開図生成部３３と、用紙収容部に収容された用紙の寸法情報と、展開図生成部３３で把握した被包装物の寸法情報とに基づいて、用紙収容部に収容された用紙を、被包装物を包装するための包装紙として用いることが可能か否かを判断する覆い方法決定部３４とを備える。【選択図】図５
2018039220.tif 000002
【特許請求の範囲】
【請求項１】
用紙を収容する収容部と、
被包装物の寸法情報を把握する把握部と、
前記収容部に収容された用紙の寸法情報と、前記把握部で把握した前記被包装物の寸法情報とに基づいて、当該収容部に収容された用紙を、当該被包装物を包装するための包装紙として用いることが可能か否かを判断する判断部と、
を備える包装紙出力装置。
【請求項２】
前記把握部は、把握した前記寸法情報に基づいて前記被包装物の展開図情報を生成し、
前記判断部は、前記被包装物の展開図が前記収容部に収容された用紙の大きさ内に収まる場合には前記包装紙として用いることが可能であると判断する
請求項１に記載の包装紙出力装置。
【請求項３】
前記収容部は、大きさの異なる複数の用紙を収容し、
前記判断部は、前記被包装物の展開図が前記収容部に収容された複数の用紙の内の最大大きさに収まらない場合には前記包装紙として用いることが不可能であると判断する
請求項１又は２に記載の包装紙出力装置。
【請求項４】
複数の包装方法の内の一の包装方法をユーザから受け付ける受付手段をさらに備え、
前記判断部は、前記複数の包装方法について前記包装紙として用いることが可能か否かを判断し、前記受付手段が受け付けた一の包装方法では当該包装紙として用いることが不可能であるが他の包装方法では当該包装紙として用いることが可能である場合には当該他の包装方法をユーザに提示する
請求項１から３のいずれか１項に記載の包装紙出力装置。
【請求項５】
前記包装紙に画像を付加する画像付加部をさらに備える
請求項１から４のいずれか１項に記載の包装紙出力装置。
【請求項６】
前記画像付加部は、包装する際に参考となる折り目情報を前記包装紙に付加する
請求項５に記載の包装紙出力装置。
【発明の詳細な説明】
【技術分野】
【０００１】
本発明は、包装紙出力装置に関する。
【背景技術】
【０００２】
従来、画像形成装置を用いてプリントをする場合、入力原稿に対して出力する用紙を選択する際に、入力原稿の大きさに対して自動的に用紙を選択する技術が提案されている。
例えば、特許文献１に記載の画像形成装置は、スキャナによる検知結果である原稿画像のサイズ（又はそのサイズに基づいて算出した変倍画像のサイズ）と定形用紙のサイズとを比較して原稿画像又は変倍画像が定形用紙に収まるかどうかを判定し、収まらない場合に上記検知結果に基づいて原稿画像又は変倍画像を９０度又は２７０回転させた場合の回転画像のサイズを算出する。そして、その回転画像のサイズと定形用紙のサイズとを比較して回転画像が定形用紙に収まるかどうかを判定し、収まる場合にのみ原稿画像又は変倍画像を９０度又は２７０回転する。また、原稿画像，変倍画像，又は回転画像が定形用紙に収まる場合、定形用紙を給紙可能な給紙カセット（定形用紙給紙部）を優先的に選択する。
【先行技術文献】
【特許文献】
【０００３】
【特許文献１】特開２００４−１６０６６６号公報
【発明の概要】
【発明が解決しようとする課題】
【０００４】
大きさが異なる複数種類の用紙を収容している場合に、包装すべき被包装物の寸法情報を基に、収容している複数種類の用紙の内のいずれの用紙を包装紙として用いるかを自動的に判断できることが望ましい。
本発明は、包装紙として用いることができる用紙を自動的に出力することができる装置を提供する
【課題を解決するための手段】
【０００５】
請求項１に記載の発明は、用紙を収容する収容部と、被包装物の寸法情報を把握する把握部と、前記収容部に収容された用紙の寸法情報と、前記把握部で把握した前記被包装物の寸法情報とに基づいて、当該収容部に収容された用紙を、当該被包装物を包装するための包装紙として用いることが可能か否かを判断する判断部と、を備える包装紙出力装置である。
請求項２に記載の発明は、前記把握部は、把握した前記寸法情報に基づいて前記被包装物の展開図情報を生成し、前記判断部は、前記被包装物の展開図が前記収容部に収容された用紙の大きさ内に収まる場合には前記包装紙として用いることが可能であると判断する包装紙出力装置である。
請求項３に記載の発明は、前記収容部は、大きさの異なる複数の用紙を収容し、前記判断部は、前記被包装物の展開図が前記収容部に収容された複数の用紙の内の最大大きさに収まらない場合には前記包装紙として用いることが不可能であると判断する包装紙出力装置である。
請求項４に記載の発明は、複数の包装方法の内の一の包装方法をユーザから受け付ける受付手段をさらに備え、前記判断部は、前記複数の包装方法について前記包装紙として用いることが可能か否かを判断し、前記受付手段が受け付けた一の包装方法では当該包装紙として用いることが不可能であるが他の包装方法では当該包装紙として用いることが可能である場合には当該他の包装方法をユーザに提示する包装紙出力装置である。
請求項５に記載の発明は、前記包装紙に画像を付加する画像付加部をさらに備える包装紙出力装置である。
請求項６に記載の発明は、前記画像付加部は、包装する際に参考となる折り目情報を前記包装紙に付加する包装紙出力装置である。
【発明の効果】
【０００６】
請求項１の発明によれば、包装紙として用いることができる用紙を自動的に出力することができる。
請求項２の発明によれば、収容部に収容された用紙を包装紙として用いることが可能であることを精度高く判断することが可能である。
請求項３の発明によれば、収容部に収容された用紙を包装紙として用いることが不可能であることを精度高く判断することが可能である。
請求項４の発明によれば、ユーザは、被包装物の寸法を考慮して自ら用紙を選択する必要がなく、簡易に包装紙を得ることができる。
請求項５の発明によれば、ユーザの好みに合う画像を包装紙に付加することができる。
請求項６の発明によれば、ユーザに容易に包装させることができる。
【図面の簡単な説明】
【０００７】
【図１】画像形成装置の概略構成図である。
【図２】画像読取部の概略構成図である。
【図３】画像読取部を、図２のIII方向に見た図である。
【図４】画像読取部のスキャナ部のプラテンガラス上に立体物が載せられている状態を示す図である。
【図５】制御部の機能構成を示すブロック図である。
【図６】被覆物の展開図を示す図である。
【図７】ユーザインタフェースに表示される覆い方法選択画面の一例を示した図である。
【図８】ユーザインタフェースに表示される包装方法選択画面の一例を示した図である。
【図９】（ａ）は、被覆物の展開図が用紙サイズ内に収まる場合を示す図である。（ｂ）は、被覆物の展開図が用紙サイズ内に収まらない場合を示す図である。
【図１０】（ａ）は、キャラメル包みの展開図と用紙サイズとの関係を示す図である。（ｂ）は、斜め包みの展開図と用紙サイズとの関係を示す図である。
【図１１】用紙に付与された画像を例示する図である。
【図１２】ユーザインタフェースに表示されるプレビュー画面の一例を示した図である。
【図１３】第２実施形態に係る画像読取部を、図２のIII方向に見た図である。
【図１４】第３実施形態に係る画像読取部を、図２のIII方向に見た図である。
【発明を実施するための形態】
【０００８】
以下、添付図面を参照して、実施の形態について詳細に説明する。
【０００９】
＜第１実施形態＞
図１は、画像形成装置１の概略構成図である。
図２は、画像読取部１０の概略構成図である。
図３は、画像読取部１０を、図２のIII方向に見た図である。
画像形成装置１は、原稿の画像を読み取る画像読取部１０と、用紙上に画像を形成する画像形成部２０と、ＣＰＵ、ＲＯＭ（Read Only Memory）、ＲＡＭ（Random Access Memory）などからなるマイクロコンピュータを有し、装置全体の動作を制御する制御部３０とを備えている。また、画像形成装置１は、タッチパネル等により構成され、ユーザから受けた指示を制御部３０に出力するとともに制御部３０からの情報をユーザに提示するユーザインタフェース（ＵＩ）４０を備えている。また、画像形成装置１は、画像形成部２０の下方に設けられて、用紙を収容するとともに画像形成部２０に対して用紙を供給する供給部５０と、画像形成部２０の上方に設けられて、画像形成部２０にて画像が形成された用紙を排出する排出部６０とを備えている。
【００１０】
（画像読取部１０）
画像読取部１０は、原稿を走査（スキャン）することによって画像を読み込むスキャナ部１１０と、積載された原稿束から原稿を順次搬送する原稿送り部１２０とを備えている。
スキャナ部１１０は、原稿が接触するガラス１１１と、ガラス１１１のガラス面に接触した原稿の画像を読み取る読み取りユニット１１２と、ガラス１１１を保持するとともに読み取りユニット１１２を収容する筐体１１３とを備えている。
ガラス１１１は、画像を読み込むべき原稿を静止させた状態で載せるプラテンガラス１１１ａと、原稿送り部１２０によって搬送される原稿を読み取るための光を透過させる窓ガラス１１１ｂとを有している。
読み取りユニット１１２は、原稿に光を照射するための照明ランプ１１２ａと、原稿から得られた反射光を受光する第１ミラー１１２ｂ、第１ミラー１１２ｂから得られた光を結像部へ提供する第２ミラー１１２ｃ及び第３ミラー１１２ｄなどの複数のミラーとを備えている。また、読み取りユニット１１２は、第３ミラー１１２ｄから得られた光学像を光学的に縮小する結像用レンズ１１２ｅと、結像用レンズ１１２ｅによって結像された光学像を光電変換するＣＣＤイメージセンサ１１２ｆとを備えている。このように、図２に示す読み取りユニット１１２では、所謂縮小光学系を用いてＣＣＤイメージセンサ１１２ｆに像を結像させている。
筐体１１３は、図中矢印Ｓで示す副走査方向に延びるとともに、読み取りユニット１１２を副走査方向に移動可能に支持するガイドシャフト１１３ａを備えている。
【００１１】
原稿送り部１２０は、複数枚の原稿からなる原稿束を積載する原稿トレイ１２１と、原稿トレイ１２１の下方に設けられ、読み取りが終了した原稿を積載する排紙トレイ１２２とを備えている。また、原稿送り部１２０は、原稿トレイ１２１の原稿を取り出して搬送するナジャーロール１２３と、用紙を一枚ずつに捌く捌き機構１２４が設けられている。また、原稿が搬送される搬送路１２５には、一枚ずつに捌かれた原稿を下流側のロールに向けて搬送するプレレジロール１２６と、スキャナ部１１０に対してレジストレーション調整を施しながら原稿を供給するレジロール１２７とを備えている。また、スキャナ部１１０にて読み込み中の原稿搬送を助けるプラテンロール１２８と、スキャナ部１１０にて読み込まれた原稿をさらに下流に搬送するアウトロール１２９とを備えている。更に、読み込まれた原稿を排紙トレイ１２２に排出する排出ロール１３０を備えている。
【００１２】
そして、このように構成された画像読取部１０においては、プラテンガラス１１１ａに載せられプラテンガラス面に接触した原稿の画像を読み取る場合には、読み取りユニット１１２が、ガイドシャフト１１３ａによりガイドされ図中Ｓ方向に示す副走査方向に移動する。このとき、照明ランプ１１２ａの光が原稿の被読み取り面に照射され、原稿からの反射光が第１ミラー１１２ｂ、第２ミラー１１２ｃ及び第３ミラー１１２ｄの順に反射されて結像用レンズ１１２ｅに導かれる。結像用レンズ１１２ｅに導かれた光は、ＣＣＤイメージセンサ１１２ｆの受光面に結像される。ＣＣＤイメージセンサ１１２ｆは１次元のセンサであり、１ライン分を同時に処理している。そして、このライン方向(スキャンの副走査方向)に読み取りユニット１１２を移動させ、原稿の次のラインを読み取る。これを原稿全体に亘って実行することで、１枚の原稿読み取りを完了させる。
【００１３】
原稿送り部１２０は、スキャナ部１１０の筐体１１３に対して回転可能に支持されている。つまり、原稿送り部１２０は、スキャナ部１１０の筐体１１３に取付けられた回転軸１１４回りに回転する。原稿送り部１２０は、プラテンガラス１１１ａに載せられ原稿が動かないように押さえる押さえ部材として機能する。
原稿送り部１２０の排紙トレイ１２２の内部には、スキャナ部１１０の筐体１１３に対する原稿送り部１２０の回転角度θを検出する周知のチルトセンサ１３１が設けられている。
【００１４】
（画像形成部２０）
画像形成部２０は、一定の間隔を置いて並列的に配置されるイエロー、マゼンタ、シアン、黒の４つの画像形成ユニット（不図示）を備えている。各画像形成ユニットは、感光体ドラム（不図示）と、感光体ドラムの表面を一様に帯電する帯電器（不図示）と、トナーで現像し可視化する現像器（不図示）と、現像器に対して各色のトナーを供給するためのトナーカートリッジ（不図示）とを有している。
また、画像形成部２０は、感光体ドラムに対してレーザ光を照射する光学系ユニット（不図示）と、感光体ドラムに形成された各色のトナー像を中間転写ベルト（不図示）上に多重転写させる中間転写ユニット（不図示）とを備えている。また、画像形成部２０は、中間転写ユニット上に重畳されて形成されたトナー像を記録媒体に転写する二次転写ユニット（不図示）と、記録媒体上に形成されたトナー像を加熱及び加圧して定着する定着装置（不図示）とを備えている。
【００１５】
（供給部５０）
供給部５０は、第１用紙Ｐ１を収容するとともに画像形成部２０に対して第１用紙Ｐ１を供給する第１用紙供給部５１と、第２用紙Ｐ２を収容するとともに画像形成部２０に対して第２用紙Ｐ２を供給する第２用紙供給部５２とを備えている。なお、第１用紙Ｐ１はＡ４サイズ、第２用紙Ｐ２はＡ３サイズであることを例示することができる。
【００１６】
第１用紙供給部５１及び第２用紙供給部５２は、それぞれ用紙を収容する用紙収容部５６と、用紙収容部５６の各々に収容された用紙を送り出す送出ロール５７とを備えている。また、第１用紙供給部５１及び第２用紙供給部５２は、それぞれ送出ロール５７にて送り出された用紙が搬送される搬送路５８と、搬送路５８に沿って配置され送出ロール５７によって送り出された用紙を二次転写位置へ搬送する搬送ロール５９とを備えている。
【００１７】
図４は、画像読取部１０のスキャナ部１１０のプラテンガラス１１１ａ上に立体物が載せられている状態を示す図である。
以上のように構成された画像形成装置１は、画像読取部１０のスキャナ部１１０のプラテンガラス１１１ａに載せられた立体物を覆う物を印刷する装置としても機能する。プラテンガラス１１１ａに載せられた立体物を、以下では「被覆物」と称す。また、被覆物を覆う物を、以下では「覆い紙」と称す。
被覆物としては、本、贈答品であることを例示することができる。
覆い紙としては、本を覆うブックカバー、贈答品を包む包装紙、贈答品に添える飾りである熨斗であることを例示することができる。
【００１８】
（制御部３０）
図５は、制御部３０の機能構成を示すブロック図である。
制御部３０は、被覆物の面の大きさを把握する面把握部３１と、被覆物の一辺の長さを把握する辺把握部３２と、被覆物の展開図を生成する展開図生成部３３とを備えている。また、制御部３０は、被覆物を覆う方法を選択する覆い方法決定部３４と、用紙に付与する画像を決定する画像決定部３５とを備えている。
【００１９】
《面把握部３１》
面把握部３１は、スキャナ部１１０の読み取りユニット１１２がプラテンガラス１１１ａに載せられた被覆物を読み取った画像に基づいて被覆物におけるプラテンガラス１１１ａと対向する面（プラテンガラス１１１ａに載せられた面）の大きさ（＝ｘ×ｙ）を把握する。面把握部３１は、読み取りユニット１１２が読み取った画像の大きさを、被覆物におけるプラテンガラス１１１ａと対向する面の大きさ（＝ｘ×ｙ）として把握する。
また、面把握部３１は、読み取りユニット１１２が被覆物を読み取った画像に基づいて、被覆物が規定位置に載せられているか否かを判断する。規定位置は、プラテンガラス１１１ａの四隅の内の一つであることを例示することができる。例えば、プラテンガラス１１１ａの四隅の内の一の隅を形成する一の線上に被覆物の一の面の一辺が存在し、一の隅を形成する他の線上に被覆物の一の面の他の辺が存在する場合に、面把握部３１は、被覆物が規定位置に載せられていると判断する。
【００２０】
《辺把握部３２》
辺把握部３２は、原稿送り部１２０の内部に配置されたチルトセンサ１３１からの出力値に基づいて原稿送り部１２０の回転角度θを把握するとともに、把握した回転角度θに基づいてプラテンガラス１１１ａに載せられた被覆物の厚さ（プラテンガラス１１１ａに載せられた面に直交する方向の長さ（＝ｚ））を把握する。被覆物が規定位置に載せられている場合には、原稿送り部１２０の回転中心から、被覆物おけるプラテンガラス１１１ａと対向する面までの距離Ｌは一定であることから、辺把握部３２は、被覆物の厚さ（＝ｚ）を、「ｚ＝Ｌ×ｔａｎθ」の式により把握する。
なお、辺把握部３２は、ＵＩ４０の表示部に、被覆物の厚さを測定するために、プラテンガラス１１１ａに載せられた被覆物を原稿送り部１２０にて押さえることを表示させ、ユーザの操作を促すと良い。
【００２１】
《展開図生成部３３》
図６は、被覆物の展開図を示す図である。
展開図生成部３３は、面把握部３１が把握した、被覆物におけるプラテンガラス１１１ａに載せられた面の大きさ（＝ｘ×ｙ）と、辺把握部３２が把握した、被覆物の厚さ（プラテンガラス１１１ａに載せられた面に直交する方向の長さ（＝ｚ））とに基づいて被覆物の展開図情報を生成する。展開図生成部３３は、被覆物が例えば直方体であるとして展開図情報を生成することを例示することができる。
【００２２】
《覆い方法決定部３４》
図７は、ユーザインタフェースに表示される覆い方法選択画面の一例を示した図である。
覆い方法決定部３４は、ユーザインタフェース（ＵＩ）４０からの出力に基づいて被覆物を覆う方法を決定する。覆い方法決定部３４は、先ず、ＵＩ４０の表示部に、予め設定された覆い方法をユーザに選択させる、図７に示した覆い方法選択画面を表示させる。本実施の形態においては、覆い方法として、熨斗、ブックカバー、被覆物を包む包装が設定されている。覆い方法決定部３４は、ＵＩ４０の表示部に、「熨斗」、「ブックカバー」、「包装」と記載されたアイコンを表示させ、ユーザの選択を促す。そして、覆い方法決定部３４は、ユーザにより選択されたアイコンの方法を覆い方法として仮決定する。つまり、覆い方法決定部３４は、「熨斗」と記載されたアイコンが押された場合には被覆物を覆う方法として熨斗を仮決定し、「ブックカバー」と記載されたアイコンが押された場合には被覆物を覆う方法としてブックカバーを仮決定する。
【００２３】
図８は、ユーザインタフェースに表示される包装方法選択画面の一例を示した図である。
覆い方法決定部３４は、「包装」と記載されたアイコンが押された場合には、ＵＩ４０の表示部に、図８に示した包装方法選択画面のように「キャラメル包み」、「斜め包み」と記載されたアイコンを表示させ、ユーザの選択を促す。そして、覆い方法決定部３４は、「キャラメル包み」と記載されたアイコンが押された場合には被覆物を覆う方法としてキャラメル包みを仮決定する。他方、覆い方法決定部３４は、「斜め包み」と記載されたアイコンが押された場合には被覆物を覆う方法として斜め包みを仮決定する。
【００２４】
覆い方法決定部３４は、被覆物を覆う方法を仮決定した後、仮決定した覆い方法と、供給部５０に収容された用紙の用紙サイズと、展開図生成部３３が生成した被覆物の展開図情報とに基づいて覆い方法を最終的に決定する。
【００２５】
図９（ａ）は、被覆物の展開図が用紙サイズ内に収まる場合を示す図である。図９（ｂ）は、被覆物の展開図が用紙サイズ内に収まらない場合を示す図である。
覆い方法決定部３４は、仮決定した覆い方法がブックカバー又は包装である場合であって、展開図生成部３３が生成した被覆物の展開図情報から把握した展開図が用紙収容部５６に収容された用紙の用紙サイズ内に収まる場合（図９（ａ）参照）には、用紙収容部５６に収容された用紙を覆い紙として用いることが可能であると判断し、仮決定した覆い方法を最終的な覆い方法として決定する。また、覆い方法決定部３４は、被覆物の展開図が収まる用紙サイズ内、最小サイズのものを画像形成する用紙として決定する。なお、第１用紙供給部５１、第２用紙供給部５２それぞれの用紙収容部５６に収容されている用紙情報はＲＯＭ（Read Only Memory）に記憶されているので、覆い方法決定部３４は、ＲＯＭから用紙収容部５６に収容されている用紙情報を取得する。
【００２６】
他方、覆い方法決定部３４は、仮決定した覆い方法がブックカバー又は包装である場合であって、展開図生成部３３が生成した被覆物の展開図情報から把握した展開図が供給部５０に収容された用紙の用紙サイズ内に収まらない場合（図９（ｂ）参照）には、選択された覆い方法では用紙収容部５６に収容された用紙を覆い紙として用いることが不可能であると判断する。そして、覆い方法決定部３４は、ＵＩ４０を介して、選択された覆い方法では用紙サイズ内に収まらないことを報知する。また、覆い方法決定部３４は、他の覆い方法をユーザに提示する。
【００２７】
図１０（ａ）は、キャラメル包みの展開図と用紙サイズとの関係を示す図である。図１０（ｂ）は、斜め包みの展開図と用紙サイズとの関係を示す図である。
例えば、仮決定した覆い方法が斜め包みである場合であって斜め包みでは用紙サイズ内に収まらない（図１０（ｂ）参照）がキャラメル包みである場合には用紙サイズ内に収まる（図１０（ａ）参照）場合には、斜め包みでは最大用紙サイズ（本実施形態においてはＡ３サイズ）に収まらないことを表示するとともに、キャラメル包みなら最大用紙サイズに収まることをＵＩ４０に表示する（キャラメル包みを提示する）。
【００２８】
また、仮決定した覆い方法が包装である場合であって、キャラメル包みも斜め包みも最大用紙サイズに収まらないが熨斗であるなら最大用紙サイズに収まる場合には、選択された覆い方法では最大用紙サイズ内に収まらないことを報知するとともに熨斗であるなら最大用紙サイズに収まることをＵＩ４０に表示する（熨斗を提示する）。
覆い方法決定部３４は、ユーザがＵＩ４０を介して提示した覆い方法を選択した場合には、選択された覆い方法を最終的な覆い方法として決定する。また、覆い方法決定部３４は、提示した覆い方法を実現可能な用紙サイズの内、最小サイズのものを画像形成する用紙として決定する。
【００２９】
覆い方法決定部３４は、仮決定した覆い方法がブックカバー又は包装である場合であって、展開図生成部３３が生成した被覆物の展開図情報から把握した展開図が供給部５０に収容された用紙の最小用紙サイズ（本実施形態においてはＡ４サイズ）内に収まるが、ぎりぎりで収まり、余裕が無い場合には、ＵＩ４０を介して、選択された覆い方法では最小用紙サイズで余裕が無いことを報知するとともに、最小用紙サイズよりも大きいサイズ（本実施形態においてはＡ３サイズ）の用紙を推奨しても良い。
覆い方法決定部３４は、ユーザがＵＩ４０を介して推奨した用紙サイズを選択した場合には、選択された用紙を画像形成する用紙として決定する。
【００３０】
また、覆い方法決定部３４は、選択された覆い方法で最大用紙サイズ（本実施形態においてはＡ３サイズ）に収まる場合であっても、最大用紙サイズよりも小さい用紙サイズ（本実施形態においてはＡ４サイズ）では少し収まらない程度の大きさとなる場合には、その旨を報知するとともに、最大用紙サイズよりも小さい用紙サイズを推奨しても良い。
覆い方法決定部３４は、ユーザがＵＩ４０を介して推奨した用紙サイズを選択した場合には、選択された用紙サイズの用紙を画像形成する用紙として決定する。
【００３１】
覆い方法決定部３４は、仮決定した覆い方法が熨斗である場合には、長辺の長さが、被覆物である直方体の異なる３辺の長さ（ｘ、ｙ、ｚ）の内の真ん中の長さ（ｘ＞ｙ＞ｚである場合にはｙ）よりも長い用紙があるか否かを判断する。そして、ある場合には、覆い方法決定部３４は、その用紙を、画像形成する用紙として決定する。複数ある場合には、覆い方法決定部３４は、その中の最小サイズ（本実施形態においてはＡ４サイズ）の用紙を画像形成する用紙として決定する。一方、ない場合には、覆い方法決定部３４は、熨斗として用いることが可能な用紙が無いことを、ＵＩ４０を介して報知する。
【００３２】
《画像決定部３５》
図１１は、用紙に付与された画像を例示する図である。図１１（ａ）は、覆い方法がキャラメル包みである場合に付与された画像を例示する図であり、図１１（ｂ）は、覆い方法がブックカバーである場合に付与された画像を例示する図である。
画像決定部３５は、覆い方法決定部３４が決定した覆い方法に対応する折り目情報や文字などの画像を、出力する用紙に付与する画像として決定する。例えば、画像決定部３５は、覆い方法決定部３４が決定した覆い方法と展開図生成部３３が生成した被覆物の展開図情報とに基づいて折り目の位置を導出し、用紙に付与する画像として、図１１に示すように、折り目情報としての破線３５ａを付与することを決定する。なお、図１１には、折り目情報としての破線３５ａを黒色で示しているが、破線３５ａの色は特に限定されない。クリアトナーで透明に形成されていても良い。
【００３３】
また、画像決定部３５は、用紙に付与する画像を、ＵＩ４０を介してユーザが選択した文字や図形に決定してもよい。文字や図形は、ユーザがＵＩ４０に入力した文字や図形であることを例示することができる。ユーザがＵＩ４０に入力する文字としては、「※※書店」等のブックカバーに記載する文字であることを例示することができる（図１１（ｂ）参照）。また、用紙に付与する画像は、ＵＩ４０の表示部に表示された文字や図形の中からユーザが選択した文字や図形であることを例示することができる。なお、画像決定部３５がＵＩ４０の表示部に表示させる文字としては、「暑中御見舞い」、「御歳暮」、「御祝い」、「御礼」、「寿」等の熨斗の表書きに記載する用語として一般的に用いられる文字であることを例示することができる（図１１（ａ）参照）。
【００３４】
画像決定部３５は、用紙に付与する画像としての文字や図形を形成する位置及び向きを、ＵＩ４０を介してユーザが選択した位置及び向きに決定すると良い。例えば、画像決定部３５は、ＵＩ４０に、展開図生成部３３が生成した被覆物の展開図情報に基づく展開図を表示させ、表示させた展開図を基に選択された面を、文字や図形を形成する位置として決定すると良い。また、選択された面における中央部か、上部か、下部か、あるいは中央右部か、中央左部か、右上部か、左上部か、右下部か、左下部か等と細かく選択可能としても良い。また、文字や図形を形成する向きを、選択された面における長辺に平行な向きか、あるいは選択された面における短辺に平行な向きか等と細かく選択可能とすると良い。図１１には、選択された面の中央部に、長辺に平行な向きとなるように文字を形成する場合を示している。
なお、覆い方法がブックカバーである場合であって、展開図生成部３３が生成した被覆物の展開図情報に基づく展開図をＵＩ４０に表示させる場合には、画像決定部３５は、図１１（ｂ）に示すように、ブックカバーの背表紙が表面と裏面との間になるように配置すると良い。
【００３５】
図１２は、ユーザインタフェースに表示されるプレビュー画面の一例を示した図である。
画像決定部３５は、用紙に付与する画像としての文字や図形を形成する位置及び向きを決定した場合には、ＵＩ４０の表示部に、被覆物を覆った状態の覆い紙の画像を表示させ、ユーザの最終判断を促しても良い。図１２に示すように、画像決定部３５は、覆い紙の画像とともに、「決定」、「戻る」と記載されたアイコン、画像を拡大、縮小するための「＋」、「−」と記載されたアイコン、画像を回転させる向きを示すアイコン等をプレビュー画面に表示すると良い。
【００３６】
また、画像決定部３５は、用紙に付与する画像として、画像読取部１０が読み取った画像を付与しても良い。例えば、画像決定部３５は、ＵＩ４０に、展開図生成部３３が生成した被覆物の展開図情報に基づく展開図を表示させて画像読取部１０が読み取った画像を付与する面を選択させるとともに、その画像が付された物をプラテンガラス１１１ａに載せて画像読取部１０に読み取らせるように指示すると良い。画像読取部１０が画像を読み取った後、画像決定部３５は、ＵＩ４０に表示されるプレビュー画面において、ユーザが選択した面に画像読取部１０が読み取った画像のサムネイルを配置すると良い。
【００３７】
そして、画像決定部３５は、ＵＩ４０に表示されるプレビュー画面において、ユーザが「決定」と記載されたアイコンを押した場合に用紙に付与する画像を最終的に決定すると良い。
そして、画像決定部３５は、覆い方法決定部３４が決定した用紙（第１用紙Ｐ１又は第２用紙Ｐ２）に対して、画像決定部３５が決定した画像を形成するように、画像形成部２０、供給部５０にコマンドを出力する。
【００３８】
以上説明したように、画像形成装置１は、用紙を収容する収容部の一例としての用紙収容部５６と、被包装物（被覆物の一例）の寸法情報を把握する把握部の一例としての展開図生成部３３と、用紙収容部５６に収容された用紙の寸法情報と、展開図生成部３３で把握した被包装物の寸法情報とに基づいて、用紙収容部５６に収容された用紙を、被包装物を包装するための包装紙として用いることが可能か否かを判断する判断部の一例としての覆い方法決定部３４と、を備える包装紙出力装置として機能する。そして、このように構成された画像形成装置１は、包装紙として用いることができる用紙を自動的に出力することが可能である。
【００３９】
上述したように、展開図生成部３３は、把握した寸法情報に基づいて被包装物（被覆物の一例）の展開図情報を生成し、覆い方法決定部３４は、被包装物の展開図が用紙収容部５６に収容された用紙の大きさ内に収まる場合には包装紙として用いることが可能であると判断する。それゆえ、覆い方法決定部３４は、用紙収容部５６に収容された用紙を包装紙として用いることができることを精度高く判断することが可能である。
また、用紙収容部５６は、大きさの異なる複数の用紙（第１用紙Ｐ１、第２用紙Ｐ２）を収容し、覆い方法決定部３４は、被包装物の展開図が用紙収容部５６に収容された複数の用紙の内の最大大きさに収まらない場合には包装紙として用いることが不可能であると判断する。それゆえ、覆い方法決定部３４は、用紙収容部５６に収容されたいずれの用紙を包装紙として用いることができないことを精度高く判断することが可能である。
【００４０】
また、画像形成装置１は、複数の包装方法の内の一の包装方法をユーザから受け付ける受付手段の一例としてのユーザインタフェース（ＵＩ）４０をさらに備え、覆い方法決定部３４は、複数の包装方法について包装紙として用いることが可能か否かを判断し、ＵＩ４０が受け付けた一の包装方法では包装紙として用いることが不可能であるが他の包装方法では包装紙として用いることが可能である場合には当該他の包装方法をユーザに提示する。それゆえ、ユーザは、被包装物の寸法を考慮して自ら用紙を選択する必要がなく、簡易に包装紙を得ることができる。
【００４１】
また、画像形成装置１は、包装紙に画像を付加する画像付加部の一例としての画像決定部３５を備える。それゆえ、ユーザの好みに合う文字や図形を包装紙に付加することが可能である。画像決定部３５は、例えば、包装する際に参考となる折り目情報の一例としての破線３５ａを包装紙に付加すると良い。包装紙に折り目情報としての破線３５ａが付加されていることでユーザは容易に包装することが可能となる。
【００４２】
なお、上述した実施形態に係る画像形成装置１において、覆い方法決定部３４は、ＵＩ４０を介してユーザが選択した覆い方法では被覆物の展開図が供給部５０に収容された用紙サイズ内に収まらない場合であって、他の覆い方法では用紙サイズ内に収まる場合には、自動的に他の覆い方法に変更しても良い。例えば、覆い方法決定部３４は、ユーザが選択した斜め包みでは被覆物の展開図がＡ３サイズ内に収まらない場合であって、キャラメル包みではＡ３サイズ内に収まる場合には、自動的にキャラメル包みに変更しても良い。
【００４３】
また、上述した実施形態に係る画像形成装置１において、画像決定部３５は、ＲＯＭに記憶した文字や図形をＵＩ４０に表示させるだけではなく、画像形成装置１が備えるＨＤＤ（Hard Disk Drive）やインターネット等の通信手段を用いて通信可能なサーバに記憶した文字や図形をＵＩ４０に表示させても良い。
【００４４】
＜第２実施形態＞
第２実施形態に係る画像形成装置１は、第１実施形態に係る画像形成装置１に対して原稿送り部１２０の回転角度θを検出する機構が異なる。以下では、第１実施形態と異なる点について説明する。
【００４５】
図１３は、第２実施形態に係る画像読取部１０を、図２のIII方向に見た図である。
第２実施形態に係る原稿送り部１２０は、スキャナ部１１０の筐体１１３に取付けられた回転軸１１４回りに回転するとともに、回転中心からの距離が回転角度に応じて異なる曲面が形成されている回転部材１３２を有している。
また、スキャナ部１１０は、筐体１１３内における、回転部材１３２の曲面と対向する部位に配置されて、回転部材１３２の曲面までの距離を検出する距離検出センサ１１５を有している。
【００４６】
そして、第２実施形態に係る辺把握部３２は、スキャナ部１１０に配置された距離検出センサ１１５からの出力値（回転部材１３２の曲面までの距離についての情報）に基づいて、原稿送り部１２０の回転角度θを把握するとともに、把握した回転角度θに基づいてプラテンガラス１１１ａに載せられた被覆物の厚さ（プラテンガラス１１１ａに載せられた面に直交する方向の長さ（＝ｚ））を把握する。
【００４７】
以上のように構成された第２実施形態に係る画像形成装置１においては、例えば原稿送り部１２０の剛性が小さく、回転中心側の部位の傾斜角度と先端側の部位の傾斜角度とが異なり、原稿送り部１２０の内部に配置されたチルトセンサ１３１が精度高く回転角度θを検出し難い場合においても、距離検出センサ１１５が精度高く回転部材１３２の曲面までの距離を検出する。それゆえ、辺把握部３２は、精度高く原稿送り部１２０の回転角度θを把握し、被覆物の厚さ（＝ｚ）を精度高く把握する。また、原稿送り部１２０の剛性を高める必要もない。その結果、原稿送り部１２０の剛性を高めることに起因して、被覆物の厚さを測定する際に被覆物が変形することが抑制される。
【００４８】
＜第３実施形態＞
第３実施形態に係る画像形成装置１は、第２実施形態に係る画像形成装置１に対して、被覆物の厚さを測定する測定部材１４０を備えている点が異なる。以下では、第２実施形態と異なる点について説明する。
【００４９】
図１４は、第３実施形態に係る画像読取部１０を、図２のIII方向に見た図である。
第３実施形態に係る画像読取部１０は、回転軸１１４回りに回転する測定部材１４０を有している。そして、第３実施形態に係る画像読取部１０においては、回転中心からの距離が回転角度に応じて異なる曲面が形成されている回転部材１３２が測定部材１４０とともに回転軸１１４回りに回転する。
【００５０】
そして、第３実施形態に係る辺把握部３２は、スキャナ部１１０に配置された距離検出センサ１１５からの出力値（回転部材１３２の曲面までの距離についての情報）に基づいて、測定部材１４０の回転角度θを把握するとともに、把握した回転角度θに基づいてプラテンガラス１１１ａに載せられた被覆物の厚さ（プラテンガラス１１１ａに載せられた面に直交する方向の長さ（＝ｚ））を把握する。
【００５１】
以上のように構成された第３実施形態に係る画像形成装置１においては、原稿送り部１２０の剛性よりも測定部材１４０の剛性を小さくすることで、被覆物の厚さを測定する際に被覆物が変形することが抑制される。
【００５２】
なお、上述した第１〜第３実施形態に係る画像形成装置１においては、辺把握部３２は、ＵＩ４０を介してユーザの手入力を受け付けることで被覆物の厚さ（＝ｚ）を把握しても良い。また、辺把握部３２は、面把握部３１が大きさ（＝ｘ×ｙ）を把握した面とは異なる他の面をスキャナ部１１０が読み取った画像に基づいて被覆物の厚さ（＝ｚ）を把握しても良い。
【符号の説明】
【００５３】
１…画像形成装置、１０…画像読取部、２０…画像形成部、３０…制御部、３１…面把握部、３２…辺把握部、３３…展開図生成部、３４…覆い方法決定部、３５…画像決定部、４０…ユーザインタフェース（ＵＩ）、５０…供給部、１１０…スキャナ部、１１５…距離検出センサ、１２０…原稿送り部、１３１…チルトセンサ、１３２…回転部材、１４０…測定部材
【図１】
2018039220.tif 000003
【図２】
2018039220.tif 000004
【図３】
2018039220.tif 000005
【図４】
2018039220.tif 000006
【図５】
2018039220.tif 000007
【図６】
2018039220.tif 000008
【図７】
2018039220.tif 000009
【図８】
2018039220.tif 000010
【図９】
2018039220.tif 000011
【図１０】
2018039220.tif 000012
【図１１】
2018039220.tif 000013
【図１２】
2018039220.tif 000014
【図１３】
2018039220.tif 000015
【図１４】
2018039220.tif 000016